【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】  ダイナミックレンジが改善されたビデオ記憶を生成する方法であって、
ビデオカメラを提供するステップであって、前記ビデオカメラが、光学的イメージを映像フィールド又はフレームのシークエンスに変換する映像検出器と、ビデオカメラによって可視化される光学的イメージから前記映像検出器によって受信される光量を調節する電子シャッターとを備えている、ステップと、
前記ビデオカメラに光学的イメージを捕らえるよう作用させるステップと、
前記捕らえられた光学的イメージから前記映像検出器によって受信される光量を変化させるように前記電子シャッターに指令して、前記捕らえられた光学的イメージを表す映像フィールド又はフレームのシークエンスであって、前記捕らえられたイメージの異なる露出値を示しかつ所定の繰り返し周波数で前記シークエンスの中に反復的に生じる少なくとも第一及び第二のフィールド又はフレームを含んでいる前記シークエンスからなる出力映像信号を、前記映像検出器から生成するステップと、
前記出力映像信号を処理して、前記第一のフィールド又はフレームの連続シークエンスからなる変更された映像信号、又は前記第二のフィールド又はフレームの連続シークエンスからなる変更された映像信号を生成するステップと、
前記変更された映像信号を選択的に入力信号としてビデオディスプレイ装置に供給して、前記変更された映像信号の中に含まれる第一又は第二のフィールド又はフレームに応じて、前記捕らえられた光学的イメージを前記ビデオディスプレイ装置に表示させるステップと、
を含む方法。
【請求項２】  請求項１に記載の方法であって、
後のディスプレイ手段の駆動において、前記捕らえられた光学的イメージが、前記第一又は第二のフィールド又はフレームの中に含まれる情報に応じて表示されるようにするために、前記出力映像信号を記憶するステップを、
さらに含む方法。
【請求項３】  ダイナミックレンジが改善されたビデオ記憶を生成する方法であって、
ビデオカメラを提供するステップであって、前記ビデオカメラが、光学的イメージを映像フィールド又はフレームのシークエンスに変換する映像検出器と、ビデオカメラによって可視化される光学的イメージから前記映像検出器によって受信される光量を調節する電子シャッターとを備えている、ステップと、
前記ビデオカメラに光学的イメージを捕らえるよう作用させるステップと、
前記捕らえられた光学的イメージから前記映像検出器によって受信される光量を変化させるように前記電子シャッターに指令して、前記捕らえられた光学的イメージを表す映像フィールド又はフレームのシークエンスであって、前記捕らえられたイメージの異なる露出値を示しかつ所定の繰り返し周波数で前記シークエンスの中に反復的に生じる少なくとも第一及び第二のフィールド又はフレームを含んでいる前記シークエンスからなる出力映像信号を、前記映像検出器から生成するステップと、
前記出力映像信号を記憶媒体に記憶するステップと、
その後に、前記記憶媒体から前記出力映像信号を再生するステップと、
前記記憶媒体から再生された前記出力映像信号を処理して、前記第一のフィールド又はフレームの連続シークエンスからなる変更された映像信号、又は前記第二のフィールド又はフレームの連続シークエンスからなる変更された映像信号を生成するステップと、
前記変更された映像信号を選択的に入力信号としてビデオディスプレイ装置に供給して、前記変更された映像信号の中に含まれる第一又は第二のフィールド又はフレームに応じて、前記捕らえられた光学的イメージを前記ビデオディスプレイ装置に表示させるステップと、
を含む方法。
【請求項４】  ダイナミックレンジが改善されたビデオ記憶を生成する方法であって、
映像センサーを提供するステップであって、前記映像センサーが、光学的イメージから前記光学的イメージを表す映像フィールド又はフレームのシークエンスを含んでいる映像信号に変換する、ステップと、
前記映像センサーに光学的イメージを捕らえるよう作用させ、同時に、各映像フィールド又はフレームの時間フィールド中に前記映像センサーよって受信される光量を変化させて、前記捕らえられたイメージを表す得られた映像信号を、映像フィールド又はフレームのシークエンスからなるようにさせ、前記映像フィールド又はフレームが、本質的に異なる露出値を示しかつ前記シークエンスの中に反復的に生じる少なくとも第一及び第二のフィールド又はフレームを含んでいる、ステップと、
前記得られた映像信号から、前記第一のフィールド又はフレームの連続シークエンスを含んでいる変更された映像信号、又は前記第二のフィールド又はフレームの連続シークエンスを含んでいる変更された映像信号を生成するステップと、
前記変更された映像信号を供給して、前記変更された映像信号の中に含まれる映像情報に応じて、前記捕らえられた光学的イメージをディスプレイ手段に表示するステップと、
を含む方法。
【請求項５】  請求項４に記載の方法であって、
後のディスプレイ手段の駆動において、前記捕らえられた光学的イメージが、前記第一又は第二のフィールド又はフレームの中に含まれる情報に応じて表示されるようにするために、前記得られた映像信号を記憶するステップを、
さらに含む方法。
【請求項６】  請求項４に記載の方法であって、
前記変更された映像信号が、前記第二のフィールド又はフレームを消去するために前記得られた映像信号を処理し、前記消去された第二フィールド又はフレームの代わりに前記第一のフィールド又はフレームを用いることによって生成される、方法。
【請求項７】  ビデオカメラシステムであって、
光学的イメージを捕らえて、この光学的イメージを表す連続映像フィールド又はフレームのシークエンスを特徴付ける出力映像信号を生成するビデオカメラであって、前記イメージから受信される光量に応じて前記出力映像信号を生成する映像検出手段と、その光学的イメージから前記映像検出手段によって受信される光量を調節する露出制御手段とを備えているビデオカメラと、
前記露出制御手段に映像フィールド又はフレームのベースで光量を変化させる露出コントローラであって、前記露出コントローラにより、前記出力映像信号が、本質的に異なる露出の少なくとも第一及び第二のフィールド又はフレームの交互のシークエンスを特徴付ける、露出コントローラと、
前記出力映像信号に応答して、(a)前記第一のフィールド又はフレームにのみ応答してビデオディスプレイを生成すること、(b)前記第二のフィールド又はフレームにのみ応答してビデオディスプレイを生成すること及び(c)後のビデオディスプレイの生成において、前記第一のフィールド又はフレーム、又は前記第二のフィールド又はフレームに応答して、前記出力映像信号を記憶することのうち少なくとも何れかを実行する応答手段と、
を備えるビデオカメラシステム。
【請求項８】  請求項７に記載のビデオカメラシステムであって、
前記応答手段が、前記第一のフィールド又はフレームに応答し且つ応じて第一のビデオディスプレイを生成し、前記第二のフィールド又はフレームに応答し且つ応じて第二の同時のビデオディスプレイを生成する、ビデオカメラシステム。
【請求項９】  ビデオカメラ記憶システムであって、
光学的イメージを捕らえて、この光学的イメージを表す連続映像フィールド又はフレームのシークエンスを特徴付ける出力映像信号を生成するビデオカメラであって、前記イメージから受信される光量に応じて前記出力映像信号を生成する映像検出手段と、その光学的イメージから前記映像検出手段によって受信される光量を調節する露出制御手段とを備えているビデオカメラと、
前記露出制御手段に映像フィールド又はフレームのベースで光量を変化させる露出コントローラであって、前記露出コントローラにより、前記出力映像信号が、異なる露出の少なくとも第一及び第二のフィールド又はフレームの交互のシークエンスを特徴付ける、露出コントローラと、
前記出力映像信号を記憶し再生するレコーダー手段と、
前記レコーダ手段に接続されている信号処理手段であって、前記出力映像信号が前記レコーダー手段に読み出される時に前記出力映像信号を受信して、前記出力映像信号から前記第一のフィールド又はフレームのみからなる変更された映像信号、又は前記第二のフィールド又はフレームのみからなる変更された映像信号を生成する信号処理手段と、
第一又は第二のフィールド又はフレームの前記シークエンスに応じて、ビデオディスプレイを生成する前記変更された映像信号に応答する応答手段と、
を備えるビデオカメラ記憶システム。
【請求項１０】  請求項９に記載のビデオカメラ記憶システムであって、第一及び第二のフィールド又はフレームが、非順次に生成される、ビデオカメラ記憶システム。
【請求項１１】  請求項９に記載のビデオカメラ記憶システムであって、第一及び第二のフィールド又はフレームが、非順次に生成され、かつそれらが生成された順番で記憶される、ビデオカメラ記憶システム。
【請求項１２】  請求項９に記載のビデオカメラ記憶システムであって、
第一及び第二のフィールド又はフレームが、一貫して繰り返すシークエンスの中に生成され、その繰り返し周期が、二以上の映像フィールド又はフレームである、ビデオカメラ記憶システム。
【請求項１３】  請求項９に記載のビデオカメラ記憶システムであって、前記映像検出手段が、ＣＣＤ又はＭＯＳデバイスである、ビデオカメラ記憶システム。
【請求項１４】  ビデオカメラシステムであって、
選択された光学的イメージの映像フィールド又はフレームのシークエンスを含んでいる連続映像信号を生成する手段であって、前記映像フィールド又はフレームの少なくともいくつかが、第一の露出レベルを示すデータを含み、前記映像フィールド又はフレームの他のものが、前記第一の露出レベルより大きい又は小さい第二の露出レベルを示す映像データを含む、手段と、
前記映像信号を処理及び利用して、前記選択された光学的イメージからゆらぎのないビデオディスプレイを生成する処理利用手段と、
を備えるビデオカメラシステム。
【請求項１５】  請求項１４に記載のビデオカメラシステムであって、前記いくつかの映像フィールド又はフレームが、前記他の映像フィールド又はフレームの間で前記シークセンスの中に点在している、ビデオカメラシステム。
【請求項１６】  請求項１４に記載のビデオカメラシステムであって、
前記処理利用手段は、前記第一の露出レベルを示すデータを含んでいる前記いくつかの映像フィールド又はフレームを消去し、前記消去されたフィールド又はフレームの代わりに前記第二の露出レベルを示すデータを含んでいるフィールド又はフレームを用いることにより、変更された映像信号を生成するマルチプレクサを備え、
前記変更された映像信号をビデオディスプレイ手段に供給し、前記第二の露出レベルを示すデータに応じて前記光学的イメージのゆらぎのないビデオディスプレイを生成する手段を、
さらに備えるビデオカメラシステム。
【請求項１７】  ビデオイメージを捕らて表示する方法であって、
光学的イメージを表す連続映像フィールド又はフレームのシークエンスを定義する映像信号出力を生成するためにビデオカメラを使用するステップであって、少なくとも第一及び第二の映像フィールド又はフレームが、第一及び第二の異なる露出時間のそれぞれで捕らえられたイメージを表し、前記第一及び第二の映像フィールド又はフレームが、一貫して繰り返すシークエンスの中で得られ、前記第一の映像フィールド又はフレームが、前記第二の映像フィールド又はフレームの間に前記連続シークエンスの中に点在する、ステップと、
前記映像信号出力を処理して、(1)前記第一のフィールド又はフレームのシークエンスを定義する第一の変更された映像信号と(2)前記第二のフィールド又はフレームのシークエンスを定義する第二の変更された映像信号とを生成するステップと、
前記第一及び第二の変更された映像信号を利用して、前記第一及び第二のフィールド又はフレームのそれぞれを表す露出に応じて前記捕らえられた光学的イメージの分離したディスプレイを得るステップと、
を含む方法。
【請求項１８】  ダイナミックレンジが改善されたビデオ記憶を得る方法であって、
映像センサーを提供するステップであって、前記映像センサーが、光学的イメージを前記光学的イメージを表す映像フィールド又はフレームのシークエンスを含んでいる映像信号に変換する、ステップと、
前記映像センサーに光学的イメージを捕らえるよう作用させ、同時に、各映像フィールド又はフレームの時間フィールド中に前記映像センサーよって受信される光量を変化させて、前記捕らえられたイメージを表す得られた映像信号を、映像フィールド又はフレームのシークエンスからなるようにさせ、前記映像フィールド又はフレームが、前記捕らえられたイメージの第一の露出値を示す少なくとも複数の第一のフィールド又はフレームと前記捕らえられたイメージの第二の露出値を示す複数の第二のフィールド又はフレームとを含み、前記第一のフィールド又はフレームが、前記第二のフィールド又はフレームの間に前記シークエンスの中に点在する、ステップと、
前記得られた映像信号から、前記第一のフィールド又はフレームの連続シークエンスを含んでいる変更された映像信号、又は前記第二のフィールド又はフレームの連続シークエンスを含んでいる変更された映像信号を生成するステップと、
前記変更された映像信号を供給して、前記変更された映像信号の中に含まれる映像情報に応じて、前記捕らえられた光学的イメージをディスプレイ手段に表示するステップと、
を含む方法。
【請求項１９】  ビデオイメージを捕らて表示する方法であって、
異なる露出時間を使用して連続ビデオイメージのシリーズを捕らえるステップであって、第一の露出時間を使用して捕らえたビデオイメージが、第二の露出時間を使用して捕らえたビデオイメージとともに前記シリーズの中に点在するようにするために、前記異なる露出時間が、所定のパターンに応じて変化する、ステップと、
それらが捕らえられた順番で、ビデオイメージの前記シリーズを表す映像信号を生成するステップと、
前記映像信号を利用して、前記第一の露出時間のみを使用して捕らえられたビデオイメージのビデオディスプレイを生成するステップと、
を含む方法。
【請求項２０】  請求項１９に記載の方法であって、
前記映像信号を利用して、前記第二の露出時間のみを使用して捕らえられたビデオイメージの第二のビデオディスプレイを生成するステップを、
さらに含む方法。
【請求項２１】  請求項２０に記載の方法であって、前記ディスプレイが、通常のディスプレイデバイスによって同時に表される、方法。